(57)【要約】【課題】通常はレターオープナとして使用される構造であり、かつ動作部を動かすことによりカッターとしても使用することができるレターオープナを提供する。【解決手段】本体の側面に開口を設けるとともに切断刃を移動可能に構成してカッターとしても使用できるように前記開口から本体の外に突出させる構造である。また、本発明のレターオープナは、本体と、回動自在な動作部と、一端に刃が設けられ他端を動作部に係合された切断刃と、前記動作部を付勢するバネからなる弾性体と、からなり、本体側面に溝と開口が設けられ、レターオープナとして使用する溝の底部に切断刃が位置する構成であるとともに、動作部を回動させることにより、切断刃がカッターとして使用できるように開口から突出する構造でもある。【選択図】  図１
2008212351.tif 000002
【特許請求の範囲】
【請求項１】
封筒をスライド切開する切断刃が本体に切欠された溝の底部に設けられている構成のレターオープナにおいて、本体の側面に開口を設けるとともに切断刃を移動可能に構成してカッターとしても使用できるように前記開口から本体の外に突出させることを特徴とするレターオープナ
【請求項２】
前記請求項１記載のレターオープナは、本体と、回動自在な動作部と、一端に刃が設けられ他端を動作部に係合された切断刃と、前記動作部を付勢するバネからなる弾性体と、からなり、本体側面に溝と開口が設けられ、レターオープナとして使用する溝の底部に切断刃が位置する構成であるとともに、動作部を回動させることにより、切断刃がカッターとして使用できるように開口から突出することを特徴とするレターオープナ
【請求項３】
封筒をスライド切開する際に封筒の側端を確実に切開するように、封筒の側端中央に切断刃を当接させるための保持部材が、本体の溝に両側面から封筒を挟持できるように突面のある一対の板バネ（８０ａ、８０ｂ）で形成され、対向する保持部材の突面が接触するように配置されていることを特徴とする請求項１記載のレターオープナ
【発明の詳細な説明】
【技術分野】
【０００１】
本発明は、封筒等を簡単に開封することができるレターオープナに関し、特に切断刃を移動させることによりレターオープナでありながらカッターとしても使用することができるレターオープナに関する。
【背景技術】
【０００２】
封筒を開封するためのレターオープナについては構造の異なる各種の機器が数多く販売されている。レターオープナは、切断刃が本体より突出しており、切断刃を封筒の端に引っ掛けてからスライドさせることにより開封する構造のものが多い。ただし、切断刃が表面に突出している状態は危険である為、開封操作時以外は刃が表面に出ないような安全上の工夫がされている。刃を本体内の溝に収納設置しておいて開封するレターを溝の中に導入する構造の機器も開発されている。しかも、従来のレターオープナは、封筒を開封するのみの機能を持ち、それ以外の用途には使用することができなかった。封筒を開封する機能だけしか使わないので、使う機会が限られてしまい、レターオープナの存在すら忘れてしまうことがあった。
そこで、新たな機能を追加したレターオープナの開発が待たれていた。
【特許文献１】実用新案登録第３１０１０４６号
【発明の開示】
【発明が解決しようとする課題】
【０００３】
本発明は上記問題を解決するために通常はレターオープナとして使用される構造であり、かつ動作部を動かすことによりカッターとしても使用することができるレターオープナを提供することを目的としている。
【課題を解決するための手段】
【０００４】
上記目的を達成するために本発明に係るレターオープナは、封筒をスライド切開する切断刃が本体に切欠された溝の底部に設けられている構成のレターオープナであって、本体の側面に開口を設けるとともに切断刃を移動可能に構成してカッターとしても使用できるように前記開口から本体の外に突出させる構造である。
【０００５】
また、本発明のレターオープナは、本体と、回動自在な動作部と、一端に刃が設けられ他端を動作部に係合された切断刃と、前記動作部を付勢するバネからなる弾性体と、からなり、本体側面に溝と開口が設けられ、レターオープナとして使用する溝の底部に切断刃が位置する構成であるとともに、動作部を回動させることにより、切断刃がカッターとして使用できるように開口から突出する構造でもある。
さらに、封筒をスライド切開する際に封筒の側端を確実に切開するように、封筒の側端中央に切断刃を当接させるための保持部材が、本体の溝に両側面から封筒を挟持できるように突面のある一対の板バネ状に形成され、対向する保持部材の突面が接触するように配置されている構造でもある。
【発明の効果】
【０００６】
本発明に係るレターオープナは、上記詳述した通りの構成であるので、以下のような効果がある。
１  簡単な移動操作によりレターオープナとして使用できるだけでなく、カッターとしても使用することが可能である。
２  切断刃を回動させるように係合している動作部を回動自在とした構成により、簡単に切断刃を開口から突出させることが可能となった。また、カッターとして使用しない時に刃を本体内に安全に収納することが可能である。
３  一対の保持部材を溝に配置したため、確実に封筒の側端中央を切断することが可能となる。
【発明を実施するための最良の形態】
【０００７】
以下本発明にかかるレターオープナを図面に示す実施例に基づいて詳細に説明する。図１はレターオープナの全体を示す斜視図であり、図２は本体の溝に切断刃が通常の作動位置に設置されている状態の断面図であり、図３は切断刃を回動させて開口から突出させた状態の断面図であり、図４はレターオープナの側面図である。図５は別の実施例のレターオープナの全体を示す斜視図であり、図６は別の実施例のレターオープナの構造を示す斜視図であり、さらに、図７は別の実施例のレターオープナのカッター仕様の構造を示す斜視図である。
【実施例１】
【０００８】
本発明のレターオープナ１０は、本体２０と、動作部３０と、切断刃４０と、弾性体５０とからなる。
本体２０は、この実施例では略台形状であり、底部２２には図４に示す側面図に表されるように溝２４が設けられている。この溝２４は書簡等の封入された封書が入る程度の広さを有していれば良く、広さの間隔には限定はないが指や手が容易に切断刃に届く（接触する）ことが避けられる程度の巾である事が望ましい。また、底部２２の溝２４に切断刃４０を突出させる構成により、切断刃４０が開封動作の待機状態であっても切断刃４０に直接触れることがない安全な構造である。
【０００９】
本体２０の内部には、動作部３０と切断刃４０と弾性体５０が装備されており、動作部３０は手動で操作ができるダイヤル状の回動部であり、本体には動作部３０より一回り大きい孔２５が形成されている。また、本体の傾斜側面には開口２６が設けられている。この開口２６は、カッター仕様とする際に切断刃４０を突出させるための孔である。
【００１０】
動作部３０は、この実施例では回動自在な円形部材であり、動作部３０の表面には切断刃４０に設けられた孔４４と嵌合する突起３２と、弾性体５０の一端５２を係止する突起３４が形成されている。
【００１１】
切断刃４０は板状の刃体であり、この実施例では一端に刃４２が形成されており、他端付近に動作部３０の突起３２と嵌合する孔４４が穿孔されている。
【００１２】
弾性体５０は、この実施例ではばねを使用しており、弾性体５０の一端５２は動作部３０の突起３４に係止されている。また、弾性体５０の中心円５４は固定されており、弾性体５０の他端５６は本体２０の側壁に当接接触している。
【００１３】
本発明のレターオープナの動作を詳細に説明する。
レターオープナとして使用する際には、弾性体５０が弛緩した状態で開いており、切断刃４０が本体２０の底部２２の溝２４に位置しており、開封動作可能な状態で待機している。開封されるレターは側端部が図２の右方向から本体２０の底部の溝２４に導入され切断刃４０の刃４２によって切断開封される。
【００１４】
一方、カッター仕様として使用する際には、動作部３０を回動させることにより、切断刃４０が本体２０の傾斜側面に形成された開口２６から突出することにより、カッターとして使用することができる。また、この実施例では図示していないが、本体２０と動作部３０とが係合して固定させることが出来るように係止用の凹凸を設けることも考えられる。
動作部３０を回動させることにより、動作部３０の突起３４が弾性体５０を押した状態としてカッターとして使用することができ、弾性体５０を弛緩開放することにより、弾性体５０が開き切断刃４０は待機状態に戻る構成である。
【実施例２】
【００１５】
また、図５に示す分解図は別の実施例の分解図であり、動作部３０の形状が実施例１とは異なる構造である。
このレターオープナは、切断刃を確実に保持できるように、切断刃保持部７０が形成されており、切断刃に穿孔された孔４４に嵌入する突起７２が２つ形成されている。保持体に形成される突起の数は限定されず、また形状も限定されない。
【００１６】
図５に示すように、このレターオープナにはカッター状態を保持するための保持機構が設けられている。図６及び図７で示すように、動作部３０を回転させ、カッター仕様として使用する際に、ストッパー６０の係合片６２が動作部３０の係合突起３６と係合し、カッター状態を保持する。ストッパー６０は、本体内部の凹部２８に係合突部６４が回動自在に軸支されており、ストッパー上部の押圧部６６を押圧することにより、係合片６２と係合突起３６の係合が解除され、待機状態のレターオープナの状態に戻る。
【００１７】
弾性体５０は、本体に設けられた突起２９に固定されており、弾性体５０の端部５２、５６は、一方の端部５６が動作部３０の円筒突起３８に当接し、他方の端部５２がストッパー下部６８に当接しているため、カッター仕様の際に弾性体５０が押圧状態となり、ストッパー６０の押圧部６６を押圧することにより、係合片６２と係合突起３６の係合が解除され、弾性体５０の復元により待機状態のレターオープナの状態に戻り、弾性体５０も開放状態となる。
【００１８】
さらに、この実施例では封筒の側端中央に切断刃が当接するための保持部材８０が、本体の溝に側面から封筒を挟持できるように突面が設けられた板バネ状に形成され、溝に両側面から一対の保持部材の突面が接触するように配置されている構造である。これにより、封筒をスライド開封する際に封筒の側端中央を確実に開封することが可能となる。
カッターとして使用しない時は切断刃を元の待機位置へ戻しておく事により、切断刃を本体内に収納した状態となるので、取扱い等が簡易であり、かつ外部に刃が触れる事がないので安全である。
【図面の簡単な説明】
【００１９】
【図１】レターオープナの全体を示す斜視図
【図２】本体の溝に切断刃が待機している状態の断面図
【図３】切断刃を回動させて開口から突出させた状態の断面図
【図４】レターオープナの側面図
【図５】別の実施例のレターオープナの全体を示す斜視図
【図６】別の実施例のレターオープナの構造を示す斜視図
【図７】別の実施例のレターオープナのカッター仕様の構造を示す斜視図
【符号の説明】
【００２０】
１０    レターオープナ
２０    本体
２２    底部
２４    溝
２５    孔
２６    開口
２８    凹部
２９    突起
３０    動作部
３２，３４  突起
３６    係合突起
３８    円筒突起
４０    切断刃
４２    刃
４４    孔
５０    弾性体
５２，５６  端部
５４    中心円
６０    ストッパー
６２    係合片
６４    係合突部
６６    押圧部
７０    切断刃保持部
７２    突起
８０    保持部材
【図１】
2008212351.tif 000003
【図２】
2008212351.tif 000004
【図３】
2008212351.tif 000005
【図４】
2008212351.tif 000006
【図５】
2008212351.tif 000007
【図６】
2008212351.tif 000008
【図７】
2008212351.tif 000009